(57)【要約】【課題】  簡単な作業によって畳の汚損を確実に防止できるとともに、その装着状態における適正な装着形体と美観性を維持し得るようにした畳用保護カバーを提供する。【解決手段】  畳敷設体Ｚの表面Ｚａ側を一体に覆う保護カバー１０において、保護カバー１０の周縁部１０ｂを畳敷設体Ｚの周縁面Ｚｂとこれに近接対向する枠材９との隙間４内に挿入可能とするとともに、該周縁部１０ｂには、隙間４内に押し込まれる第１押板２１に掛止される掛止部１３を設ける。係る構成によれば、保護カバー１０が汚損された場合、第１押板２１を取り除いて保護カバー１０の周縁部１０ｂを該隙間４から引き出してこれを畳敷設体Ｚから容易に取り外すことができ、且つ取り外した保護カバー１０のみを洗浄すれば良いことから、従来のように、汚損した畳そのものを洗浄する場合に比して、洗浄作業が極めて簡便且つ容易となる。【選択図】        図１
2006336447.tif 000002
【特許請求の範囲】
【請求項１】
枠材（９）の内側に敷き詰められた複数の畳（１）でなる畳敷設体（Ｚ）の表面（Ｚａ）側を一体に覆う保護カバー（１０）であって、
上記保護カバー（１０）の周縁部（１０ｂ）が上記畳敷設体（Ｚ）の周縁面（Ｚｂ）とこれに近接対向する上記枠材（９）との隙間（４）内に挿入可能とされるとともに、
該周縁部（１０ｂ）には、上記隙間（４）内にその上方から押し込まれる第１押板（２１）に掛止される掛止部（１３）が設けられていることを特徴とする畳用保護カバー。
【請求項２】
請求項１において、
上記掛止部（１３）が、上記保護カバー（１０）の表面側へＵ字形に折り返えされ、その底部に上記第１押板（２１）が掛止される構成であることを特徴とする畳用保護カバー。
【請求項３】
請求項１において、
上記第１押板（２１）が、略Ｌ形の断面形状をもち、その一方の板部（２１ａ）が上記隙間（４）内に挿入され、他方の板部（２１ｂ）が上記保護カバー（１０）をその表面側から上記畳敷設体（Ｚ）の周縁部に押し付ける構成であることを特徴とする畳用保護カバー。
【請求項４】
請求項１において、
上記保護カバー（１０）の裏面で且つ上記畳敷設体（Ｚ）を構成する各畳（１）の相互間における隙間（５）に対応する位置には、該隙間（５）内に押し込まれる第２押板（２２）が着脱自在に取付けられていることを特徴する畳用保護カバー。
【請求項５】
請求項１において、
上記保護カバー（１０）の上記畳敷設体（Ｚ）を構成する各畳（１）相互間における隙間（５）に対応する位置が、第２押板（２２）と共に上記隙間（５）内に押し込み得るように構成されていることを特徴する畳用保護カバー。
【請求項６】
請求項４又は５において、
上記第２押板（２２）が略Ｔ形の断面形状をもち、その一方の板部（２２ａ）が上記隙間（４）内に挿入され、他方の板部（２２ｂ）が上記保護カバー（１０）をその表面側から上記畳（１）側に押し付ける構成であることを特徴とする畳用保護カバー。
【請求項７】
畳（１）の表面（１ａ）側を覆う保護カバー（１０）であって、
上記保護カバー（１０）の周縁部（１０ｂ）が、上記畳（１）の側面（１ｃ）をその表面（１ａ）側から裏面（１ｂ）側へ巻き込むように構成されるとともに、上記裏面（１ｂ）側においては引張材（１１），（１２）によって該裏面（１ｂ）の中央寄りへ引き込むように構成されていることを特徴とする畳用保護カバー。
【請求項８】
請求項７において、
上記引張材（１１），（１２）がゴムバンドで構成され、且つ上記保護カバー（１０）に対して一端、又は両端が着脱自在とされていることを特徴とする畳用保護カバー。
【発明の詳細な説明】
【技術分野】
【０００１】  本願発明は、畳の汚損を防止するために用いられる着脱自在な畳用保護カバーに関するものである。
【背景技術】
【０００２】  一般に、畳は、多層構造をもつ所定厚さの畳床と、該畳床の表面を覆うように設けられた畳表を備えて構成されるもので、クッション性と通気性を兼備することから、屋内での裸足生活を基本とする日本においては、古来より床材として広く用いられている。即ち、図１２に示すように、屋内に設けられた矩形の枠材９の内側に、複数枚の畳３０を敷き詰めて構成される畳敷設体Ｚを「畳敷間」として利用している。そして、このような畳敷間は、一般住宅に限らず、共同生活施設、例えば、福祉施設とか介護施設においても設けられている（特許文献１，２参照）。【０００３】  ところで、例えば、老人用の福祉施設とか介護施設に設けられた畳敷間においては、飲食物の巻き散らかしとか失禁等によって畳が汚損される頻度が高く、特に飲料を溢したり失禁したりした場合には、例えこれを拭き取ったとしても、畳表の目が凹凸であるため十分に拭き取ることができず、これが畳表から畳床側に浸み込み、その結果、汚損成分の残存とか臭気の放散等によって畳敷間における生活環境が極めて不衛生なものとなる。【０００４】  このため、従来は、畳が汚損される度に、あるいは定期的に、汚損された畳を洗浄して清浄性、衛生性を取り戻すようにしている。【０００５】  しかし、この畳を洗浄する手法では、先ず、敷き詰められた畳を一枚ずつ剥ぐって、これを洗浄場所まで運んで洗浄し、洗浄後に乾燥し、さらに乾燥後、これを室内へ運び込んで再度敷き詰める必要がある等、その作業が煩雑で且つ重労働であった。【０００６】  このような問題を解決する手段になり得るものとして、例えば、特許文献３に示されるように、敷き詰められた畳の上にシートを被せる方法とか、特許文献４に示されるように、予め畳を構成する畳床と畳表を一体的に固定せず、これら両者を別体構成とし、上記畳床に対して畳表を着脱自在に被せる手法とかが提案されている。【０００７】
【特許文献１】  特開２０００−２５７２８１号公報
【特許文献２】  特開平１１−０９３４３１号公報
【特許文献３】  特開平０７−０４２２４６号公報
【特許文献４】  実開昭６３−２８７３４号公報。
【発明の開示】
【発明が解決しようとする課題】
【０００８】  ところが、前者のシートを被せる手法では、畳にシートを固定する場合、シートの表面側から鋲を刺して固定するのが通例であるが、係る手法によれば、シートの固定が散点的になることからその固定が不十分となり易く、そのため、人がシートの上で日常的に生活をする間にその手足の接触等によって鋲が抜け落ち、場合によっては人に損傷等を与える危険性がある。また、シート上で人が日常的に生活する間にシートが次第に弛んでその平面性が損なわれ、シートを設けた所期の目的を達し得なくなるとか、見栄えが悪くなる等の問題も起こり得る。【０００９】  一方、後者の場合には、畳が汚損した時には、畳表を畳床から外してこれのみを洗浄することができ、例えば、従来のように畳そのものを剥ぐってこれを洗浄する場合に比して、作業が手軽であるという利点はあるものの、上記畳表は防水性がないことから、例えば、飲料等の液体を溢した場合には、これによる汚損が畳表に止まらず畳床にまで達し、畳表のみならず畳床の洗浄も必なるなど、畳表と畳床を別体構成としたことの利点が滅失することになる。【００１０】  そこで、本願発明は、簡単な作業によって畳の汚損を確実に防止できるとともに、その装着状態における適正な装着形体と美観性を維持し得るようにした畳用保護カバーを提供することを目的としてなされたものである。
【課題を解決するための手段】
【００１１】  本願発明では、上記課題を解決するために以下のような構成を採用している。【００１２】  本願の第１の発明では、枠材９の内側に敷き詰められた複数の畳１でなる畳敷設体Ｚの表面Ｚａ側を一体に覆う保護カバー１０において、上記保護カバー１０の周縁部１０ｂを上記畳敷設体Ｚの周縁面Ｚｂとこれに近接対向する上記枠材９との隙間４内に挿入可能とするとともに、該周縁部１０ｂには、上記隙間４内にその上方から押し込まれる第１押板２１に掛止される掛止部１３を設けたことを特徴としている。【００１３】  本願の第２の発明では、上記第１の発明に係る畳用保護カバーにおいて、上記掛止部１３を、上記保護カバー１０の表面側へＵ字形に折り返えされ、その底部に上記第１押板２１が掛止される構成としたことを特徴としている。【００１４】  本願の第３の発明では、上記第１の発明に係る畳用保護カバーにおいて、上記第１押板２１を、略Ｌ形の断面形状をもち、その一方の板部２１ａが上記隙間４内に挿入され、他方の板部２１ｂが上記保護カバー１０をその表面側から上記畳敷設体Ｚの周縁部に押し付ける構成としたことを特徴としている。【００１５】  本願の第４の発明では、上記第１の発明に係る畳用保護カバーにおいて、上記保護カバー１０の裏面で且つ上記畳敷設体Ｚを構成する各畳１の相互間における隙間５に対応する位置に、該隙間５内に押し込まれる第２押板２２を着脱自在に取付けたことを特徴としている。【００１６】  本願の第５の発明では、上記第１の発明に係る畳用保護カバーにおいて、上記保護カバー１０の上記畳敷設体Ｚを構成する各畳１相互間における隙間５に対応する位置を、第２押板２２と共に上記隙間５内に押し込み得るように構成したことを特徴としている。【００１７】  本願の第６の発明では、上記第４又は第５の発明に係る畳用保護カバーにおいて、上記第２押板２２を略Ｔ形の断面形状とし、その一方の板部２２ａを上記隙間４内に挿入し、他方の板部２２ｂを上記保護カバー１０をその表面側から上記畳１側に押し付けるように構成したことを特徴としている。【００１８】  本願の第７の発明では、畳１の表面１ａ側を覆う保護カバー１０において、上記保護カバー１０の周縁部１０ｂを、上記畳１の側面１ｃを表面１ａ側から裏面１ｂ側へ巻き込むように構成するとともに、上記裏面１ｂ側においては引張材１１，１２によって該裏面１ｂの中央寄りへ引き込むように構成したことを特徴としている。【００１９】  本願の第８の発明では、上記第７の発明に係る畳用保護カバーにおいて、上記引張材１１，１２をゴムバンドで構成すると共に、該引張材１１，１２の一端、又は両端を上記保護カバー１０に対して着脱自在としたことを特徴としている。
【発明の効果】
【００２０】
【００２１】（ａ）本願の第１の発明に係る畳用保護カバーでは、保護カバー１０の周縁部１０ｂを畳敷設体Ｚの周縁面Ｚｂとこれに近接対向する枠材９との隙間４内に挿入可能とするとともに、該周縁部１０ｂに、上記隙間４内にその上方から押し込まれる第１押板２１に掛止される掛止部１３を設けている。【００２２】  従って、この発明によれば、以下のような効果が得られる。【００２３】  （ａ−１）上記畳敷設体Ｚにその表面Ｚａ側から上記保護カバー１０を被せ、且つその周縁部１０ｂを上記隙間４に挿入可能とし、この状態で上記隙間４内に上記第１押板２１を押し込むことで、該第１押板２１が上記保護カバー１０の周縁部１０ｂに設けた上記掛止部１３に掛止され、該第１押板２１の押し込みの進行に伴って上記保護カバー１０の周縁部１０ｂが上記隙間４内に引き込まれ、該保護カバー１０がその表面に弛みを生じることなく、上記畳敷設体Ｚの表面Ｚａに沿って張設状態で被せられ、且つその張設状態が維持される。【００２４】  この結果、上記保護カバー１０が弛みを生じることなく張設されることでその美観性が確保されるとともに、その張設状態における形体の保持性が良好で事後的な弛みが生じることが可及的に防止されることで、上記畳敷設体Ｚの生活スペースとしての活用が促進される。【００２５】  （ａ−２）上記畳敷設体Ｚの表面Ｚａには各畳１相互の突合せ部分に少なからず隙間が存在するが、畳敷設体Ｚの表面Ｚａ側に上記保護カバー１０を被せることで隙間の無い平坦面が得られる。【００２６】  この結果、上記保護カバー１０上で人が生活し、例えば、飲食物を巻き散らかすとか、失禁等をしたとしても、これら、飲食物の残物とか尿とかが上記隙間４内に進入することがないため、これらを上記保護カバー１０の表面の拭き取り作業によって簡単に取り除いて該保護カバー１０の表面の清浄性とか清潔感を回復させることができ、衛生的な生活環境が長期間に亘って確保される。【００２７】  また、このように衛生上において好ましい生活環境が長期間に亘って確保されるということは、裏を返せば、上記保護カバー１０の洗浄間隔の長期化が促進されるということであり、その結果、洗浄に要する時間と手間が省ける分だけ、上記畳敷設体Ｚの保守管理費の低減が可能となる。【００２８】  （ａ−３）長期の使用によって上記保護カバー１０の汚損が進行した場合には、これを上記畳敷設体Ｚ側から取り外して洗浄等するが、その際には、上記第１押板２１を取り除いた後、上記隙間４内に差し込まれた上記保護カバー１０の周縁部１０ｂを該隙間４から引き出すことで容易に取り外すことができ、上記畳敷設体Ｚの各畳１に対しては何等の作業も必要としない。また、上記保護カバー１０を取り外した後は、該保護カバー１０のみを洗浄すれば良い。さらに、上記保護カバー１０の洗浄後は、該保護カバー１０を上記畳敷設体Ｚに再度被せるが、この際も、畳敷設体Ｚに何等手を加えることなく、上記第１押板２１によって上記保護カバー１０の周縁部１０ｂを上記隙間４内に押し込めば良い。【００２９】  従って、これらの相乗効果として、例えば、従来のように、汚損した畳の洗浄に際して、畳を剥ぐって運び、これを洗浄するとともに、洗浄後に再度畳を運��で所定位置に敷き詰める作業手順をとるような場合に比して、作業が極めて簡便且つ容易であり、延いては畳敷設体Ｚの維持管理費の低減にも寄与し得る。【００３０】（ｂ）本願の第２の発明に係る畳用保護カバーによれば、上記（ａ）に記載の効果に加えて以下のような特有の効果が得られる。即ち、この発明では、上記掛止部１３を、上記保護カバー１０の表面側へＵ字形に折り返えされ、その底部に上記第１押板２１が掛止される構成としているので、上記掛止部１３の構造が簡単で且つその製作が容易であり、該掛止部１３を設けることによるコストアップを最小限に抑えて該保護カバー１０の低廉化を図ることができるとともに、上記掛止部１３への上記第１押板２１の掛止を簡単且つ確実に行うことができることから、該保護カバー１０の装着作業の迅速化による作業コストの低廉化も図れる。【００３１】（ｃ）本願の第３の発明に係る畳用保護カバーによれば、上記（ａ）に記載の効果に加えて以下のような特有の効果が得られる。即ち、この発明では、上記第１押板２１を、略Ｌ形の断面形状をもち、その一方の板部２１ａが上記隙間４内に挿入され、他方の板部２１ｂが上記保護カバー１０をその表面側から上記畳敷設体Ｚの周縁部に押し付ける構成としているので、上記第１押板２１の一方の板部２１ａによって上記保護カバー１０の周縁部１０ｂを引き込んでこれを張設すると同時に、上記他方の板部２１ｂによって上記保護カバー１０の周縁部１０ｂを上記畳敷設体Ｚ側に押し付けて固定することができ、これら両者の協働によって、上記保護カバー１０の上記畳敷設体Ｚへの固定が確実ならしめられ、延いては上記保護カバー１０の使用上における信頼性が確保される。【００３２】（ｄ）本願の第４の発明に係る畳用保護カバーによれば、上記（ａ）に記載の効果に加えて以下のような特有の効果が得られる。即ち、この発明では、上記保護カバー１０の裏面で且つ上記畳敷設体Ｚを構成する各畳１の相互間における隙間５に対応する位置に、該隙間５内に押し込まれる第２押板２２を着脱自在に取付けているので、上記保護カバー１０をその周縁部１０ｂのみでなく、上記畳敷設体Ｚの表面Ｚａに対応する覆部１０ａにおいても該畳敷設体Ｚ側に固定してその弛みを確実に防止することができ、上記保護カバー１０の使用状態における信頼性がより一層向上することになる。【００３３】  また、上記第２押板２２が上記保護カバー１０の裏面側に設けられていることから、該第２押板２２を設けたにも拘わらず、上記保護カバー１０の表面側の平面性が維持され、該保護カバー１０の美観性あるいは良好な使用感が得られる。【００３４】  さらに、上記保護カバー１０を上記畳敷設体Ｚに装着する場合には、例えば、上記保護カバー１０をその一端側から他端側へ向けて順次被せながら上記第２押板２２を対応する隙間５に押し込めば良く、逆に、上記保護カバー１０を畳敷設体Ｚから取り外す場合には、該保護カバー１０をその一端側から他端側へ向けて順次剥ぎ上げながら上記第２押板２２を隙間５から抜き取れば良く、上記第２押板２２を設けたにも拘わらず、上記保護カバー１０の装着及び取り外し作業における作業性が良好となる。【００３５】  また、上記第２押板２２が上記保��カバー１０に対して着脱自在に取付けられているので、上記保護カバー１０の洗浄作業時には、該第２押板２２を取り外しておくことで、上記第２押板２２を備える構成であるにも拘わらず、何等支障なく上記保護カバー１０の洗浄を行うことができる。【００３６】（ｅ）本願の第５の発明に係る畳用保護カバーによれば、上記（ａ）に記載の効果に加えて以下のような特有の効果が得られる。即ち、この発明では、上記保護カバー１０の上記畳敷設体Ｚを構成する各畳１相互間における隙間５に対応する位置を、第２押板２２と共に上記隙間５内に押し込み得るように構成しているので、上記保護カバー１０をその周縁部１０ｂのみでなく、上記畳敷設体Ｚの表面Ｚａに対応する覆部１０ａにおいても該畳敷設体Ｚ側に固定してその弛みを確実に防止することができ、上記保護カバー１０の使用状態における信頼性がより一層向上することになる。【００３７】  また、上記第２押板２２が上記保護カバー１０の表面側から上記隙間５側へ押し込まれる構成であるので、その作業が容易であり、作業性の向上が図れる。【００３８】（ｆ）本願の第６の発明に係る畳用保護カバーによれば、上記（ｄ）又は（ｅ）に記載の効果に加えて以下のような特有の効果が得られる。即ち、この発明では、上記第２押板２２を略Ｔ形の断面形状とし、その一方の板部２２ａを上記隙間４内に挿入し、他方の板部２２ｂを上記保護カバー１０の表面側から上記畳１側に押し付けるように構成しているので、上記一方の板部２２ａによって上記保護カバー１０の覆部１０ａが張設されるとともに、該一方の板部２２ａの挿入によってできた上記保護カバー１０の表面側に開口する隙間が上記他方の板部２２ｂによって閉塞され、その結果、該隙間への異物とか水の侵入が防止され、上記保護カバー１０の表面側に上記第２押板２２が配置された構成であるにも拘わらず、該保護カバー１０の清浄性が確保される。【００３９】（ｇ）本願の第７の発明では、畳１の表面１ａ側を覆う保護カバー１０において、上記保護カバー１０の周縁部１０ｂを、上記畳１の側面１ｃ部分をその表面１ａ側から裏面１ｂ側へ巻き込むように構成するとともに、上記裏面１ｂ側においては引張材１１，１２によって該裏面１ｂの中央寄りへ引き込むように構成しているので、上記畳１に対する上記保護カバー１０の取付けが容易で、且つその取付状態が確実に保持され、上記保護カバー１０による上記畳１の保護機能が良好となる。【００４０】  そして、上記畳１が汚損した場合には、上記保護カバー１０のみを上記畳１から取り外して洗浄すれば良いことから、例えば、従来のように、汚損した畳の洗浄に際して、畳を剥ぐって運び、これを洗浄するとともに、洗浄後に再度畳を運んで所定位置に敷き詰める作業手順をとるような場合に比して、作業が極めて簡便且つ容易である。【００４１】（ｈ）本願の第８の発明に係る畳用保護カバーによれば、上記（ｇ）に記載の効果に加えて以下のような特有の効果が得られる。即ち、この発明では、上記引張材１１，１２をゴムバンドで構成すると共に、該引張材１１，１２の一端、又は両端を上記保護カバー１０に対して着脱自在としているので、上記畳１の洗浄時における上記保護カバー１０の着脱が極めて���易である。
【発明を実施するための最良の形態】
【００４２】  以下、本願発明を好適な実施形態に基づいて具体的に説明する。【００４３】  Ａ：第１の実施形態
図１には、本願発明の第１の実施形態に係る保護カバー１０を畳敷設体Ｚに装着した状態を示している。【００４４】  上記畳敷設体Ｚは、屋内に設けられた矩形の枠材９の内側に、複数枚（この実施形態では、６枚）の畳１を敷き詰めて構成される。【００４５】  上記畳１は、従来周知の構成をもつものであって、所定厚さをもつ長矩形の畳本体２の外周縁部分を畳縁３で覆って構成される。尚、上記畳本体２は、実際的には、所定厚さの積層体で構成される畳床と、該畳床の表面側を覆う畳表で構成されるが、ここでは、説明の便宜上、畳床の表面側を畳表で覆ったものを一体として「畳本体２」と称する。【００４６】  上記畳敷設体Ｚは、これをそのまま使用に供した場合、その汚損時の対応が極めて厄介になることは既述の通りであり、これを回避すべく、この実施形態においては、本願発明を適用して、上記畳敷設体Ｚの表面側に上記保護カバー１０を取付けるようにしたものである。【００４７】  上記保護カバー１０は、非透水性と透湿性及び所要の強度を備えたシート材を用いて構成されるものであって、上記畳敷設体Ｚの表面Ｚａ（即ち、敷き詰められた各畳１の表面１ａの集合した面）の全域と、周縁面Ｚｂ（即ち、畳敷設体Ｚの四辺に沿って配置された各畳１の側面１ｃの集合した面）を一体的に覆い得る大きさの矩形形状を有している。【００４８】  この保護カバー１０は、これを上記畳敷設体Ｚに被せたときに該畳敷設体Ｚの表面Ｚａに対応する覆部１０ａと、周縁面Ｚｂに対応する周縁部１０ｂを備えている。【００４９】  上記保護カバー１０の周縁部１０ｂには、図２、図４に示すように、該周縁部１０ｂの外縁寄りの一部を外側上方へＵ字状に折り返して、その上端側が開口した袋状形態をもつ掛止部１３が形成されている。【００５０】  尚、上記掛止部１３は、上記保護カバー１０の周縁部１０ｂの各辺のそれぞれにおいて該各辺の略全長に亘って設けられるが、この各辺の掛止部１３は、これをその長さ方向に所定間隔で分断するように縫合（図１の縫合線Ｌ参照）され、これによってその形状維持を図っている。【００５１】  このように所定長さをもって上記保護カバー１０の周縁部１０ｂの各辺のそれぞれに設けられた上記掛止部１３には、図５に示す第１押板２１が着脱可能に装着される。この第１押板２１は、略直交方向に延出する二つの板部２１ａ、２１ｂを備えた略Ｌ形の断面形状を有する直状体であって、例えば、樹脂材によって一体形成されている。尚、上記第１押板２１の長さ寸法は、これが装着される上記保護カバー１０側の上記掛止部１３の長さ寸法に対応して、これより所定寸法だけ短く設定されることは言うまでも無い。【００５２】  一方、上記保護カバー１０の上記覆部１０ａの裏面（即ち、上記畳敷設体Ｚへの装着状態において該畳敷設体Ｚの表面Ｚａに対向する面）のうち、上記畳敷設体Ｚを構成する各畳１相互間の隙間５に対応する位置には、図６に示すような第２押板２２が着脱自在に取付けられている。【００５３】  即ち、上記第２押板２２は、Ｔ字形に交差する二つの板部２２ａ、２２ｂを備えた略Ｔ字形の断面形状を有する直状体であって、例えば、樹脂材によって一体形成されている。そして、この第２押板２２は、平板上に延出する���部２２ｂの上面に、帯状の第１、第２テープ材２５Ａ，２５Ｂでなりこれら両者が相互に接着・離脱自在とされた接合テープ材２５の一方のテープ材２５Ａが貼着固定されている。また、上記接合テープ材２５の第２テープ材２５Ｂは、上記保護カバー１０の裏面に縫着とか溶着によって固定されている。【００５４】  尚、上記第２押板２２は、上記保護カバー１０の上記畳敷設体Ｚへの着脱作業を支障なく行い得るような長さに寸法が設定され、その使用に際してはこれを適数個列設する。また、この実施形態では、上記第２押板２２を上記畳敷設体Ｚ側の上記隙間５の全てに対応するように連続的に設けているが、係る構成に限定されるものではなく、例えば、所定長さで間欠的あるいは散点的に不連続状態に設けることもできる。【００５５】  続いて、上記の如く構成された上記保護カバー１０を上記畳敷設体Ｚに被せる場合と、該保護カバー１０を上記畳敷設体Ｚから取り外す場合のそれぞれについて、その手順等を説明する。【００５６】  「保護カバー１０の装着」
上記保護カバー１０を上記畳敷設体Ｚに被せるに際しては、先ず、上記保護カバー１０の裏面の所要位置に上記第２押板２２を取付ける。【００５７】  しかる後、上記保護カバー１０をロール上に巻き上げた状態で、あるいは一辺側へ手繰り寄せた状態で、該保護カバー１０の巻上げ端あるいは手繰り寄せ端に位置する周縁部１０ｂを、上記畳敷設体Ｚの周縁面Ｚｂの一つの辺に対応させる。そして、この周縁部１０ｂの上記掛止部１３に上記第１押板２１の一方の板部２１ａを差し入れて装着する。【００５８】  次に、上記掛止部１３に装着された上記第１押板２１を、その一方の板部２１ａ側から上記畳敷設体Ｚの周縁面Ｚｂとこれが近接対向する上記枠材９の側面との間に存在する上記隙間４内にその上端側から押し込む。この場合、上記第１押板２１の一方の板部２１ａの先端が上記保護カバー１０側の掛止部１３の底部に掛止されていることから、該第１押板２１の押し込みによって、図２又は図４に示すように、上記周縁部１０ｂが上記第１押板２１の一方の板部２１ａと共に上記隙間４内に押し込まれ、該板部２１ａを介在させた状態で、上記畳敷設体Ｚの周縁面Ｚｂ（即ち、上記畳１の側面１ｃ）と上記枠材９の側面とによって挟圧固定される。また、この第１押板２１の他方の板部２１ｂによって上記保護カバー１０の覆部１０ａの周縁が上記畳１側に押圧される。これによって、上記保護カバー１０の一つの周縁部１０ｂが上記畳敷設体Ｚ側へ確実に固定される。【００５９】  次に、上記保護カバー１０を巻き戻しながら、あるいは手繰り戻しながら、既に固定された周縁部１０ｂの左右両側に位置する二つの周縁部１０ｂを、上記作業と同様に、上記第１押板２１を用いて上記隙間４に順次押し込んで固定するとともに、図３に示すように、上記覆部１０ａの裏面側に取付けられた上記第２押板２２を、その一方の板部２２ａ側から上記畳敷設体Ｚの対応する隙間５に、その他方の板部２２ｂが上記畳１の表面１ａに当接するまで押し込み、該第２押板２２によって上記覆部１０ａを上記畳敷設体Ｚ側に固定する。【００６０】  係る周縁部１０ｂの上記隙間４側への固定と、覆部１０ａの上記隙間５側への固定とを、上記保護カバー１０の一方の周縁部１０ｂ側からこれに対向する他方の周縁部１０ｂ側に向けて順次行い、最後に、該他方の周縁部１０ｂを上記隙間４側に固定することで、上記保護カバー１０の上記畳敷設体Ｚへの装着作業が完了する。【００６１】  このような上記保護カバー１０の上記畳敷設体Ｚへの装着作業に際しては、上述のように、上記保護カバー１０の周縁部１０ｂを上記第１押板２１によって上記隙間４内に押し込む際、該第１押板２１の一方の板部２１ａが上記周縁部１０ｂ側の上記掛止部１３に掛止され、該第１押板２１の押し込みの進行に伴って上記周縁部１０ｂが上記隙間４内に引き込まれ、該保護カバー１０はその表面１ａに弛みを生じることなく、上記畳敷設体Ｚの表面Ｚａに沿って張設状態で被せられ、且つその張設状態が維持されることから、該保護カバー１０が被せられた上記畳敷設体Ｚの美観性が確保されるとともに、その張設状態における形体の保持性が良好で事後的な弛みが生じることが可及的に防止される。【００６２】  また、上記第１押板２１が、略Ｌ形の断面形状をもち、その一方の板部２１ａが上記隙間４内に挿入され、他方の板部２１ｂが上記保護カバー１０をその表面側から上記畳敷設体Ｚの周縁部に押し付けられる構成としているので、上記第１押板２１の一方の板部２１ａによって上記保護カバー１０の周縁部１０ｂを引き込んでこれを張設すると同時に、上記他方の板部２１ｂによって上記保護カバー１０の周縁部１０ｂを上記畳敷設体Ｚ側に押し付けて固定することができ、これら両者の協働によって、上記保護カバー１０の上記畳敷設体Ｚへの固定が確実ならしめられ、延いては上記保護カバー１０の使用上における信頼性が確保される。【００６３】  さらに、保護カバー１０の周縁部１０ｂに設けられた上記掛止部１３が、該周縁部１０ｂをその表面側へＵ字形に折り返えし、その底部に上記第１押板２１を掛止せしめる構成とされているので、上記掛止部１３の構造が簡単で且つその製作が容易であり、該掛止部１３を設けることによるコストアップを最小限に抑えて該保護カバー１０の低廉化を図ることができるとともに、上記掛止部１３への上記第１押板２１の掛止を簡単且つ確実に行うことができることから、該保護カバー１０の装着作業の迅速化による作業コストの低廉化も図れる。【００６４】  また、上記保護カバー１０の裏面で且つ上記畳敷設体Ｚを構成する各畳１の相互間における隙間５に対応する位置に、該隙間５内に押し込まれる第２押板２２を着脱自在に取付けているので、上記保護カバー１０をその周縁部１０ｂのみでなく、上記畳敷設体Ｚの表面Ｚａに対応する覆部１０ａにおいても該畳敷設体Ｚ側に固定してその弛みを確実に防止することができ、上記保護カバー１０の使用状態における信頼性がより一層向上することになる。【００６５】  さらに、上記保護カバー１０を上記畳敷設体Ｚに装着する場合には、例えば、上記保護カバー１０をその一端側から他端側へ向けて順次被せながら上記第２押板２２を対応する隙間５に押し込めば良く、逆に、後述のように、上記保護カバー１０を畳敷設体Ｚから取り外す場合には、該保護カバー１０をその一端側から他端側へ向けて順次剥ぎ上げながら上記第２押板２２を隙間５から抜き取れば良く、上記第２押板２２を設けたにも拘わらず、上記保護カバー１０の装着及び取り外し作業における作業性が良好となる。【００６６】  また、上記畳敷設体Ｚの表面Ｚａには各畳１相互の突合せ部分に少なからず隙間が存在するが、畳敷設体Ｚの表面Ｚａ側に上記保護カバー１０を被せることで隙間の無い平坦面が得られる。この結果、上記保護カバー１０上で人が生活し、例えば、飲食物を巻き散らかすとか、失禁等をしたとしても、これら、飲食物の残物とか尿とかが上記隙間４内に進入することがないため、これらを上記保護カバー１０の表面の拭き取り作業によって簡単に取り除いて該保護カバー１０の表面の清浄性とか清潔感を回復させることができ、衛生的な生活環境が長期間に亘って確保される。【００６７】  このように、衛生上において好ましい生活環境が長期間に亘って確保されるということは、裏を返せば、上記保護カバー１０の洗浄間隔の長期化が促進されるということであり、その結果、洗浄に要する時間と手間が省ける分だけ、上記畳敷設体Ｚ��保守管理費の低減が可能となる。【００６８】  さらに、上記第２押板２２が上記保護カバー１０の裏面側に設けられていることから、該第２押板２２を設けたにも拘わらず、上記保護カバー１０の表面側の平面性が維持され、該保護カバー１０の美観性あるいは良好な使用感が得られる。【００６９】  「保護カバー１０の取り外し」
上記畳敷設体Ｚに被せられた上記保護カバー１０を該畳敷設体Ｚから取り外す場合には、先ず、上記保護カバー１０の四つの周縁部１０ｂにそれぞれ装着された上記第１押板２１を全て取り外す。しかる後、上記保護カバー１０の四つの周縁部１０ｂの何れか一つの周縁部１０ｂを上記畳敷設体Ｚ側の上記隙間４から引き出す。【００７０】  次に、上記保護カバー１０を、上記隙間４から引き出された周縁部１０ｂ側から、これに対向する側の周縁部１０ｂへ向けて、上記畳敷設体Ｚから順次剥ぐり上げて該周縁部１０ｂを上記隙間４から引き出すとともに、上記保護カバー１０の上記覆部１０ａの裏面側に取り付けられている上記第２押板２２を上記畳敷設体Ｚ側の隙間５から順次引き出し、該覆部１０ａを上記畳敷設体Ｚ側から離脱させる。係る作業を上記保護カバー１０の上記対向する側の周縁部１０ｂまで行なうことで、上記保護カバー１０が完全に上記畳敷設体Ｚ側から取り外される。【００７１】  このような上記保護カバー１０の上記畳敷設体Ｚ側からの取り外しは、通常、該保護カバー１０の汚損が相当程度進んだ状態で行なわれ、該保護カバー１０は上記畳敷設体Ｚ側から取り外された後、洗浄される。この洗浄作業に際しては、予め、上記保護カバー１０の裏面側に取付けられていた上記第２押板２２を全て取り外しておくことで、該保護カバー１０を何ら支障なく洗浄することができる。【００７２】  また、上記保護カバー１０を上記畳敷設体Ｚ側から取り外して洗浄等する際には、上記第１押板２１を取り除いた後、上記隙間４内に差し込まれた上記保護カバー１０の周縁部１０ｂを該隙間４から引き出すことで容易に取り外すことができ、上記畳敷設体Ｚの各畳１に対しては何等の作業も必要としない。また、上記保護カバー１０を取り外した後は、該保護カバー１０のみを洗浄すれば良い。さらに、上記保護カバー１０の洗浄後は、該保護カバー１０を上記畳敷設体Ｚに再度被せるが、この際も、畳敷設体Ｚに何等手を加えることなく、上記第１押板２１によって上記保護カバー１０の周縁部１０ｂを上記隙間４内に押し込めば良い。【００７３】  従って、これらの相乗効果として、例えば、従来のように、汚損した畳の洗浄に際して、畳を剥ぐって運び、これを洗浄するとともに、洗浄後に再度畳を運んで所定位置に敷き詰める作業手順をとるような場合に比して、作業が極めて簡便且つ容易であり、延いては畳敷設体Ｚの維持管理費の低減にも寄与し得るものである。【００７４】  Ｂ：第２の実施形態
図７には、本願発明の第２の実施形態に係る保護カバー１０を畳敷設体Ｚに装着した状態を示している。【００７５】  この実施形態のものは、その基本構成を上記第１の実施形態の場合と同じにするものであって、これと異なる点は、該第１の実施形態においては上記保護カバー１０の覆部１０ａを上記畳敷設体Ｚの表面Ｚａ側に固定するための上記第２押板２２を、該覆部１０ａの裏面側に上記接合テープ材２５を介して着脱自在に取付けるようにしていたのに対して、この第２の実施形態においては、図８に拡大図示するように、上記保護カバー１０の上記畳敷設体Ｚを構成する各畳１相互間における隙間５に対応する位置を、その表面側から上記第２押板２２と共に上記隙間５内に押し込んで固定するようにした点である。【００７６】  このような構成とした結果、上記保護カバー１０をその周縁部１０ｂのみでなく、上記畳敷設体Ｚの表面Ｚａに対応する覆部１０ａにおいても該畳敷設体Ｚ側に固定してその弛みを確実に防止することができ、上記保護カバー１０の使用状態における信頼性がより一層向上することは勿論であるが、さらにこれに加えて、上記第２押板２２が上記保護カバー１０の表面側から上記隙間５側へ押し込まれる構成であるので、その作業が容易であり、作業性の向上が図れるものである。【００７７】  また、上記第２押板２２を略Ｔ形の断面形状とし、その一方の板部２２ａを上記隙間４内に挿入し、他方の板部２２ｂを上記保護カバー１０の表面側から上記畳１側に押し付けるように構成しているので、上記一方の板部２２ａによって上記保護カバー１０の覆部１０ａが張設されるとともに、該一方の板部２２ａの挿入によってできた上記保護カバー１０の表面側に開口する隙間が上記他方の板部２２ｂによって閉塞され、その結果、該隙間への異物とか水の侵入が防止され、上記保護カバー１０の表面側に上記第２押板２２が配置された構成であるにも拘わらず該保護カバー１０の清浄性が確保される。【００７８】  尚、これら以外の構成に基づく作用効果は、上記第１の実施形態の場合と同様であるので、その該当説明を援用することで、ここでの説明を省略する。
Ｃ：第３の実施形態
図９及び図１０には、本願発明の第３の実施形態に係る保護カバー１０を単一の畳１に装着した状態を示している。【００７９】  この実施形態のものは、上記第１及び第２の実施形態のものと異なって、単一の畳１に対して上記保護カバー１０を装着する構成であることから、該保護カバー１０自体の構成も上記第１及び第２の実施形態のものは異なっている。【００８０】  即ち、上記保護カバー１０は、単一の畳１を、その表面１ａから側面１ｃの全周を覆って、さらにその下面１ｂの周縁部分をその全周に亘って覆い得るような大きさの矩形シート材で構成される。そして、この保護カバー１０は、図９に示すようにその覆部１ａで上記畳１の表面１ａ側を覆った後、さらにその周縁部１０ｂを、図１０に示すように上記畳１の側面１ｃの外側から裏面１ｂ側へ折り返し、この折り返された周縁部１０ｂを、ゴムバンドで構成され且つ上記畳１の平面方向において縦横に複数本配置された引張材１１，１２の弾性復元力によって該裏面１ｂの中央寄りへ引き込むようにして構成されている。【００８１】  この場合、上記引張材１１，１２は、その一端、又は両端が、上記保護カバー１０の周縁部１０ｂに対して着脱自在とされている。【００８２】  このように構成された上記保護カバー１０においては、該保護カバー１０の周縁部１０ｂを、上記畳１の側面１ｃ部分をその表面１ａ側から裏面１ｂ側へ巻き込むように構成するとともに、上記裏面１ｂ側においては引張材１１，１２によって該裏面１ｂの中央寄りへ引き込むようにしているので、上記畳１に対する上記保護カバー１０の取付けが容易で、且つその取付状態が確実に保持され、上記保護カバー１０による上記畳１の保護機能が良好となる。【００８３】  しかも、この場合、上記引張材１１，１２をゴムバンドで構成すると共に、該引張材１１，１２の一端、又は両端を上記保護カバー１０に対して着脱自在としているので、上記畳１に対する上記保護カバー１０の着脱が極めて容易である。【００８４】  そして、上記畳１が汚損した場合には、上記保護カバー１０のみを上記畳１から取り外して洗浄すれば良いことから、例えば、従来のように、汚損した畳の洗浄に際して、畳を剥ぐって運び、これを洗浄するとともに、洗浄後に再度畳を運んで所定位置に敷き詰める作業手順をとるような場合に比して、作業が極めて簡便且つ容易である。【００８５】  尚、このように上記保護カバー１０が被せられた畳１は、これを単一で使用する場合の他に、これを複数枚敷き詰めて所定大きさの畳敷設体としても使用されるが、後者の場合には、図１１に示すように敷き詰め状態において隣接する畳１の側面１ｃ同士の隙間４内に、上記第２押板２２の一方の板部２２ａを押し込み、他の板部２２ｂを隣接する畳１の周縁部にその上方から当接させることで、上記隙間４を上記第２押板２２で塞いでその美観性の確保を図ると同時に、上記隙間４内に水等が浸入するのを可及的に防止することができる。
【図面の簡単な説明】
【００８６】
【図１】  本願発明の第１の実施形態に係る畳用保護カバーを畳敷設体に取付た状態を示す斜視図である。
【図２】  図１のＩＩ−ＩＩ拡大断面図である。
【図３】  図１のＩＩＩ−ＩＩＩ拡大断面図である。
【図４】  図１のＩＶ−ＩＶ拡大断面図である。
【図５】  図２に示した第１押板の拡大斜視図である。
【図６】  図３に示した第２押板部分の拡大斜視図である。
【図７】  本願発明の第２の実施形態に係る畳用保護カバーを畳敷設体に取付た状態を示す斜視図である。
【図８】  図７のＶＩＩＩ−ＶＩＩＩ拡大断面図である。
【図９】  本願発明の第３の実施形態に係る畳用保護カバーを畳に取付た状態を示す斜視図である。
【図１０】  図９に示した畳の裏面側の斜視図である。
【図１１】  図９に示した畳を敷き詰めた場合における畳突合せ部分の拡大断面図である。
【図１２】  一般的な畳敷間を示す斜視図である。
【符号の説明】
【００８７】  １    ・・畳
１ａ  ・・表面
１ｂ  ・・裏面
１ｃ  ・・側面
２    ・・畳本体
３    ・・畳縁
４    ・・隙間
５    ・・隙間
９    ・・枠材
１０    ・・保護カバー
１０ａ  ・・覆部
１０ｂ  ・・周縁部
１１    ・・ゴムバンド
１２    ・・ゴムバンド
１３    ・・掛止部
２１    ・・第１押板
２２    ・・第２押板
２５    ・・接合テープ材
Ｚ    ・・畳敷設体
Ｚａ  ・・表面
Ｚｂ  ・・周縁面
【図１】
2006336447.tif 000003
【図２】
2006336447.tif 000004
【図３】
2006336447.tif 000005
【図４】
2006336447.tif 000006
【図５】
2006336447.tif 000007
【図６】
2006336447.tif 000008
【図７】
2006336447.tif 000009
【図８】
2006336447.tif 000010
【図９】
2006336447.tif 000011
【図１０】
2006336447.tif 000012
【図１１】
2006336447.tif 000013
【図１２】
2006336447.tif 000014